(57)【要約】      （修正有）【課題】礼服、スーツ、ジャケット、ワンピースなどを洗濯機で洗濯する場合に、全体の皺や型崩れを低減した状態で洗い上げることのできる洗濯ネットを提供する。【解決手段】洗濯ネット１は、略長方形の本体部２と、本体部よりも小さい略長方形のポケット部３を備えている。本体部２は、複数の洗濯物保持部材４と、スライドファスナー５とを備えている。洗濯物保持部材４は、本体部の一方の長辺側に配置された部材４１と他方の長辺側とに配置された部材４２とからなる一対の部材で構成されていて、互いを連結可能とする面ファスナー４３、４４を備えている。スライドファスナー５のテープが本体部２の周縁に沿って縫い付けられている。洗濯ネット１は、ポケット部３を本体部２と重なるように折り畳み、洗濯物保持部材４を連結し、スライドファスナー５を閉鎖するとき、本体部２が中央で二つ折りとなって、洗濯物を収容する空間が形成される。【選択図】図１
0003223796.tif 000002
【実用新案登録請求の範囲】
【請求項１】
洗濯ネットであって、
略長方形の本体部と、
前記本体部の一方の短辺側に少なくとも一部が固定されており、前記本体部よりも小さい略長方形のポケット部と、
を備えており、
前記本体部が、複数の洗濯物保持部材と、スライドファスナーとを備えており、
前記洗濯物保持部材は、前記本体部の一方の長辺側に配置された部材と他方の長辺側とに配置された部材とからなる一対の部材で構成されていて、互いを連結可能とする面ファスナーを備えており、
前記スライドファスナーは、下止めが前記本体部の一方の長辺の中央部に配置され、且つ上止めが前記本体部の他方の長辺の中央部に配置されており、テープが前記本体部の周縁に沿って縫い付けられており、
前記ポケット部を前記本体部と重なるように折り畳み、前記洗濯物保持部材を連結し、前記スライドファスナーを閉鎖するとき、前記本体部が中央で二つ折りとなって、洗濯物を収容する空間が形成されることを特徴とする洗濯ネット。
【請求項２】
前記本体部を四つ折りの状態で固定する固定手段を更に備えていることを特徴とする請求項１記載の洗濯ネット。
【考案の詳細な説明】
【技術分野】
【０００１】
本考案は、衣類を洗濯機で洗濯する場合に使用する洗濯ネットに関する。特に、礼服、スーツ、ジャケット、ワンピースなどの衣類の洗濯に適した洗濯ネットに関する。
【背景技術】
【０００２】
近年、衣類の素材や縫製の改良が進んでいる。その結果、以前であれば専門店にドライクリーニングを依頼したような衣服であっても、水流のゆるやかなコースを適用すれば洗濯機で洗濯することが可能となっている。しかしその一方で、洗濯後の皺や型崩れを心配して、未だ専門店にクリーニングを依頼する着用者も多い。
【０００３】
洗濯時に衣類を保護するための洗濯ネットが普及している。一般的な洗濯ネットは、メッシュ素材からなる円筒形や矩形状の袋であって、袋の口にスライドファスナーが取り付けられている。使用者は、洗濯する衣類をたたんだり丸めたりして洗濯ネットの中に収容し、スライドファスナーを閉めて洗濯する。しかしながら、袋状の洗濯ネットに衣類を収容しただけでは、洗濯機による洗濯時の皺や型崩れを充分に防止することは難しい。
【０００４】
そこで、洗濯ネットの改善が種々試みられている。特許文献１には、仕切り材を備えた袋体の着物用洗濯ネットが開示されている。特許文献１の洗濯ネットは、本だたみの着物を三つ折りにして袋体に収容し、袋体の端部のスライドファスナーを閉じた状態で洗濯を行う。また特許文献２には、ベース部と折りたたみ部とを備えた洗濯ネットが開示されている。特許文献２の洗濯ネットは、ワイシャツ、ブラウス、スカート、ズボンといった比較的丈の短い衣類を広げた状態でベース部に載置した後、折りたたみ部で衣類を覆い、スライドファスナーでベース部の端部を閉じ合わせた状態で、洗濯を行う。
【先行技術文献】
【特許文献】
【０００５】
【特許文献１】実用新案登録第３２０２８８０号公報
【特許文献２】特開２０１８−１４８９９６号公報
【考案の概要】
【考案が解決しようとする課題】
【０００６】
礼服、スーツ、ジャケット、ワンピースなど、様々な長さの衣類を洗濯機で洗濯する場合であっても、全体の皺や型崩れを低減した状態で洗い上げることのできる洗濯ネットが求められている。
【課題を解決するための手段】
【０００７】
本考案は、洗濯ネットに関する。本考案の洗濯ネットは、略長方形の本体部と、本体部の一方の短辺側に少なくとも一部が固定されており、本体部よりも小さい略長方形のポケット部と、を備えている。本考案の洗濯ネットの本体部は、複数の洗濯物保持部材と、スライドファスナーとを備えている。洗濯物保持部材は、本体部の一方の長辺側に配置された部材と他方の長辺側とに配置された部材とからなる一対の部材で構成されていて、互いを連結可能とする面ファスナーを備えている。また、スライドファスナーは、下止めが本体部の一方の長辺の中央部に配置され、且つ上止めが本体部の他方の長辺の中央部に配置されており、テープが本体部の周縁に沿って縫い付けられている。本考案の洗濯ネットは、ポケット部を本体部と重なるように折り畳み、洗濯物保持部材を連結し、スライドファスナーを閉鎖するとき、本体部が中央で二つ折りとなって、洗濯物を収容する空間が形成されることを特徴とする。
【０００８】
本発明の洗濯ネットは、本体部を四つ折りの状態で固定する固定手段を更に備えていることが好ましい。
【考案の効果】
【０００９】
本考案の洗濯ネットは、洗濯する衣類を本体部に載せ、衣類の丈が長い場合には、その裾側をポケット部に収容し、ポケット部を本体部上に重ねることで、衣類の形状を購入時のように平らに整えた状態で、洗濯ネットの内面に載置することができる。さらに、洗濯物保持部材を衣類の上に重ねて固定し、スライドファスナーを閉じることで、衣類の整えられた形状を維持して洗濯ネットの中に収容することができる。衣類の形状は洗濯中も維持されて、洗濯による皺、型崩れを低減することができる。
【００１０】
本考案の洗濯ネットは、固定手段によって、本体部を四つ折りの状態で固定することができる。四つ折りにした洗濯ネットは、それ以上折り畳むことなく洗濯槽に入れることができるので、洗濯による不要な折り目が形成されない。
【００１１】
本考案の洗濯ネットは、丈の長い衣類を収容した場合であっても、衣類の生地と生地の間にポケット部が適度な空間を形成するため、洗濯液が衣類に均一に浸透し、汚れを充分に落とすことができる。
【図面の簡単な説明】
【００１２】
【図１】図１は、洗濯ネットを展開した状態の斜視図である。
【図２】図２は、ポケット部を本体部上に重ね合わせた状態の洗濯ネットの上面図である。
【図３】図３は、ワンピースを内部に配置した洗濯ネットの模式図である。
【図４】図４は、スカートを内部に配置した洗濯ネットの模式図である。
【図５】図５は、固定手段によって四つ折りで固定した洗濯ネットの上面図である。
【考案を実施するための形態】
【００１３】
以下、図面を参照しつつ、本考案の洗濯ネット１の構造とその使用形態について、例を挙げて詳細に説明する。図１に、拡げた状態の洗濯ネット１の斜視図を示す。
【００１４】
洗濯ネット１は、略長方形の外観を有する本体部２と、この本体部２の一方の短辺側に一部が固定されているポケット部３を備えている。本体部２とポケット部３は、通気性及び通水性が良く、柔軟な、網目状の繊維素材で形成されている。繊維はポリエステル又はポリウレタンを含んでいるものが好適に用いられる。
【００１５】
特に好適な実施形態では、本体部２とポケット部３に、網目状の繊維素材を２枚重ねて用いられる。これにより、洗濯ネット１の強度を高めて、収容した衣類に加わる衝撃を和らげることができる。
【００１６】
本考案の洗濯ネット１は、衣類を収容した後に、本体部２の長辺中央を折り返し位置として全体を二つ折りにして洗濯を行う。以下においては、折り返し線を境界として、ポケット部３が固定されている側の本体部を下側部材２２と称し、ポケット部３が固定されていない側の本体部を上側部材２１と称する。上側部材２１と下側部材２２は、一枚の繊維素材である本体部２に折り返し位置を規定することで、構成されていても良い。また上側部材２１と下側部材２２をそれぞれ別個の繊維素材で形成した後に、縫合その他の方法によって結合して本体部２としてもよい。
【００１７】
図２に、ポケット部２を下側部材２２に重ねた状態の、洗濯ネット１の上面図を示す。ポケット部３は開口部３１を有する袋状の部材である。ポケット部３は、開口部３１の両側端に、紐状の結合部材３２を備えており、下側部材２２の角部に結合部材３２が縫い付けられることによって、本体部２に結合されている。
【００１８】
ポケット部３は、下側部材２２よりもわずかに小さい長方形の外形形状を有しており、下側部材２２に載置した状態で、洗濯ネット１の中に収容することができる。ポケット部２は、主に、丈の長いワンピース、スカート、ズボンの裾側を収容する目的で使用される。ポケット部２を使用しない場合には、ポケット固定手段３３を用いることで、ポケット部２を下側部材２２に固定することができる。一例として、ポケット固定手段３３はスナップボタンを備えており、下側部材２２の対応する位置に設けられたポケット固定手段３３’にスナップ止めすることができる。
【００１９】
本体部２の長辺上に、複数の洗濯物保持部材４が配置されている。図１及び図２に示すように、洗濯物保持部材４は、本体部の一方の長辺側に配置された部材４１と他方の長辺側に配置された部材４２とが一対となっている部材であって、それぞれの部材を洗濯ネット１の内側に折り曲げたときに端部が重なりあうようにその長さが調整されている。部材４１，４２の先端には、互いを連結可能とする面ファスナー４３，４４が配置されている。
【００２０】
洗濯ネット１は、本体部２の外周全体を閉鎖することのできる閉鎖手段として、スライドファスナー５を備えている。スライドファスナー５は、下止め５１が本体部２の一方の長辺側の折り返し線上に配置され、且つ上止め５２が本体部の他方の長辺側に配置されている。そして、本体部２の上側部材２１の周縁に沿ってスライドファスナー５のテープ５４が縫い付けられており、本体部２の下側部材２２の周縁に沿ってスライドファスナー５のテープ５５が縫い付けられている。テープ５５，５４は、いずれも、エレメントを外側に向けて縫い付けられている。この結果、ポケット部３と洗濯物保持部材４を洗濯ネット１の内側に向かって折り畳み、スライドファスナー５のスライダー５３を下止め５１から上止め５２に向かって移動させることで、本体部２が中央で二つ折りとなって周縁部が閉鎖され、内部に洗濯物を収容する空間が形成される。
【００２１】
必須ではないが、本考案の洗濯ネット１は、本体部２の上側部材２１のそれぞれの辺に、２組以上の固定手段６，６’を備えることができる。一実施形態では、図１に示すように、本体部２の長辺側の相対する辺に二組の固定手段６，６’が配置され、本体部２の短辺側の相対する辺に一組の固定手段６，６’を配置することができる。固定手段６はスナップボタン６１を備えており、固定手段６’の対応するスナップボタンとスナップ止めを行うことで、二つ折りとした本体部をさらに、折り返し線と平行な向きで、四つ折りに折り畳んだ状態とすることができる。図５に、固定手段６，６’によって四つ折りで固定した洗濯ネット１の上面図を示す。
【００２２】
洗濯ネット１の使用方法について、図３から図５を参照しつつ説明する。図３に、洗濯ネット１にワンピース７０をセットした状態を模式的に示す。一例として、ワンピース７０は、本体部２の上側部材２１に身頃を載せ、下側部材２２にスカート部分を載せ、さらにポケット部３に裾を収容して、皺がよっていない形状に整えられる。本体部２から外にはみ出した部分は、内側に折り返される。その後、二組の洗濯物保持部材４が、ワンピース７０上に重ねて配置され、端部の面ファスナー４３，４４を連結することで洗濯物保持部材４１，４２が結合されて、ワンピース７０を整った形状のまま保持される。次に、ポケット部３が、裾を収容した状態のままで下側部材２２上に重ね合わされる。最後に、本体部２を、上側部材２１と下側部材２２の境界である折り返し線で二つ折りにし、スライドファスナー５のスライダー５３を下止め５１から上止め５２に向かって移動させることで、本体部２の周縁部が全て閉鎖され、ワンピース７０が洗濯ネット１に収容される。
【００２３】
図４に、洗濯ネット１にスカート８０をセットした状態を模式的に示す。スカート８０は丈が短いため、本体部２のみで、好適に収容することができる。そのためポケット部２は、ポケット固定手段３３によって、下側部材２２のポケット固定手段３３’にスナップ止めされている。一例として、スカート８０は、本体部２の上側部材２１にウエスト側を載せ、下側部材２２に裾側部分を載せて、皺がよっていない形状に整えられる。その後、二組の洗濯物保持部材４が、スカート８０上に重ねて配置され、端部の面ファスナー４３，４４を連結することで洗濯物保持部材４１，４２が結合されて、スカート８０が整った形状のまま保持される。最後に、本体部２を、上側部材２１と下側部材２２の境界である折り返し線で二つ折りにし、スライドファスナー５のスライダー５３を下止め５１から上止め５２に向かって移動させることで、本体部２の周縁部が全て閉鎖され、スカート８０が洗濯ネット１に収容される。
【００２４】
ワンピース７０やスカート８０を収容した洗濯ネット１は、さらに、本体部２の上側部材２１に設けられた固定手段６，６’をスナップ止めで固定することによって、全体を四つ折りにした状態で保持することができる。
【００２５】
本考案の洗濯ネット１は、以上のような使用方法によって、衣類の形状を購入時のように平らに整えた状態で、洗濯ネットの中に保持し、そのままの整えられた形状を維持して洗濯を行うことができる。この結果、洗濯による皺、型崩れを低減することができる。
【実施例】
【００２６】
本考案の洗濯ネット１の一実施例について、おおよその寸法を説明する。洗濯ネット１は、上側部材２１と下側部材２２を合わせた本体部２の大きさが、短辺側約５０ｃｍ、長辺側約８０ｃｍの略矩形形状に形成されている。ポケット部２は、開口部の幅が約４５ｃｍ、長さ約３５ｃｍの、矩形形状を有している。このような本体部２とポケット部３を備えたことにより、市販されている大部分の衣類について、その形状を整えて収容し、そのまま洗濯することができる。また、洗濯物保持部材４の幅は、約１５ｃｍあり、このような洗濯物保持部材４を複数設けたことで、丈の長い衣類であってもその形状を好適に保ち、皺、型崩れを低減することができる。
【００２７】
以上、本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。例えば洗濯物保持部材の配置と数は、収容する衣類の形状に合わせて変更することができる。ポケット部は端部だけではなく一つの辺全体を本体部に取り付けても良く、また下側部材へのポケット固定手段も種々変更することができる。また、ポケット部や折り返し線の位置に、洗濯ネット全体に厚みを持たせるための「マチ」を設けることも可能である。
【符号の説明】
【００２８】
１    洗濯ネット
２    本体部
３    ポケット部
４    洗濯物保持部材
５    スライドファスナー
６    固定手段
【図１】
0003223796.tif 000003
【図２】
0003223796.tif 000004
【図３】
0003223796.tif 000005
【図４】
0003223796.tif 000006
【図５】
0003223796.tif 000007